(57)【要約】【課題】    （イ）複数の刺し込み片の先端を同時には刺し込みにくい。    （ロ）刺し込み片１本のみで刺し込みたい場合に、刺し込みにくい。    （ハ）手を口に運んだ時、先端部の角部の一部を口内へ差し込んでいる。    （ニ）切る目的に対応しないつくりである。    本発明はこれらの問題点を解決するためになされたものである。【解決手段】    把手と、把手の先端に併設された複数の刺し込み片とより構成され、左右どちらかの端部に設けられた刺し込み片の先端が他の刺し込み片の先端より突き出した位置にある主刺し込み片となったものであることを特徴とする。【選択図】            図１
2005246016.tif 000002
【特許請求の範囲】
【請求項１】
把手と、把手の先端に併設された複数の刺し込み片とより構成され、左右どちらかの端部に設けられた刺し込み片の先端が他の刺し込み片の先端より突き出した位置にある主刺し込み片となったものであることを特徴とする、変形フォーク。
【請求項２】
主刺し込み片および副刺し込み片はその先端が一定直線、あるいはなだらかな曲線よりなる操作線上に位置するものであることを特徴とする、請求項１記載の変形フォーク。
【請求項３】
最側部の副刺し込み片の側辺部先端付近の形状が前記操作線に沿い、物を切る場合に好都合なナイフ状をしていることを特徴とする、請求項２記載の変形フォーク。
【発明の詳細な説明】
【技術分野】
【０００１】    本発明は菓子や生野菜に刺して、口に運ぶ際に使用する、あるいは片手で使用する範囲のフオーク状の、変形フォークに関するものである。
【背景技術】
【０００２】    従来、フォークは、刺し込み片の先端が把手に対して同位置にあり同形状で、しかも、刺し込み片同士が比較的近い位置に並んでいる。従って、それぞれ同じ機能を持つしくみである。そのため、羊羹等に突き刺そうとすると、各先端が羊羹の面に対して同時に接触するか、刺し込みにくい状態で一部が先に届く。
【発明の開示】
【発明が解決しようとする課題】
【０００３】    そのために次のような問題点があった。
（イ）複数の刺し込み片の先端を同時には刺し込みにくい。
（ロ）刺し込み片１本のみで刺し込みたい場合に、刺し込みにくい。
（ハ）手を口に運んだ時、先端部の角部の一部を口内へ差し込んでいる。
（ニ）切る目的に対応しないつくりである。
本発明はこの問題点を解決するためになされたものである。
【課題を解決するための手段】
【０００４】    把手と、把手の先端に併設された複数の刺し込み片とより構成され、左右どちらかの端部に設けられた刺し込み片の先端が他の刺し込み片の先端より突き出した位置にある主刺し込み片となったものであることを特徴とする、変形フォーク。
【発明の効果】
【０００５】    対象物が硬い場合は、主刺し込み片で先ず対象物に突き刺し、それで位置を決定したのち副刺し込み片を刺し、常に１本づつ刺し込むために抵抗が減り、刺し込み易い。
特に強く１本を刺し込みたい時には、傾けて他の刺し込み片を避けることにより、主刺し込み片がいっそう突き出すので、より刺し込み易くなる。しかも、より突き出すので、小さな物を取り除く、狭いところをほじるという機能的に可能な面も加わる。また、表裏を反対にすることによりその効果が顕著になる。
手を口に運んだ時、先端部の全体が届き、口と先端部との間に隙間が生じにくいので、手首や指が不自由な場合も使い易くなる。
切り込み片の先端位置が直線上に、あるいはなだらかな曲線上にあることにより、その線上に引くことで、ナイフ的な使い方も可能となる。
切り込み片の先端位置、又は切り込み片の先端位置とそれに続く最端位置にある副刺し込み片の側辺部が、なだらかな曲線上にあることにより、その線上に引くことで、より効果的な切断を可能にした。
【発明を実施するための最良の形態】
【０００６】    以下、本発明の実施の形態について説明する。
先ず、刺し込み片の２本を有する実施の形態を、図１〜図６を用いて説明する。
図１、図２のように、菓子用変形フオークの作り方について、把手（３）の先に、主刺し込み片（１）とそれよりやや短い副刺し込み片（２）の合計２本を設ける。この２本の先端は把手延長方向に対し斜めとなる。この斜めの角度の範囲は対象物に両先端が届いた時に、当発明を持ち易い範囲とする。図１は平面図、図２は正面図で、ここでは正面側部形状を直線とし、右利き左利きに関わらず使用出来る目的とする。この２本からなる変形フオークの使い方は、図３のように、主刺し込み片側を上側にして持ち、羊羹等の対象物（４）に、まず主刺し込み片のみを刺し込み、副刺し込み片が対象物に届いたら共に刺し込む、または主刺し込み片の先端で傷をつけた状態で、そこを支点として、副刺し込み片の先端側が対象物に接するまで傾けて、両方を同時に刺し込む。特に強く１本を刺し込みたい時には前述の場合よりは角度をずらして傾け、他の刺し込み片が当たらないようにして主刺し込み片を刺し込む。表裏を反対にすればこの効果はより顕著になる。安定する個所まで刺し込めたら、持ち上げて口に運ぶ。対象物を切り分けたい時には突き刺した後、手前に引く、又は上から下に降ろす。刺し込み片のそれぞれの先端が自然な手の動きに合わせて同じ個所を移動するので切断出来る。不要な物が付着しているような場合は、主刺し込み片の先端で取り除く、狭いところならば先端でほじり出す。以上のように必ずしも一定方向に向けたままで使用するだけではないので、把手の形状については指先で押さえ易い厚みを持たせるか、丸い棒状とするのが好ましい。刺し込み部の中腹辺りは刺しこんだ対象物の支えを行っている。
図４については、ここに示すように、主刺し込み片の外側辺は把手側辺を直線上に延ばした形状となっており、副刺し込み片を補助的な位置に設けたものである。これは重さと共に視覚的にもバランスをもたせようとする形状のものである。この使い方は前記に準じる。
図５は、切り分けるという機能をより明確に持たせるために、主刺し込み片の先端は中心が尖り、副刺し込み片を主刺し込み片より幅広にし、この先端を主刺し込み片側に位置する方に頂点を有するように尖らせたものである。この両端を繋ぐラインはナイフの刃先等に類似した形状を描くもので、直線というよりも少しカーブ状となる。副刺し込み片の側辺部もそのカーブを引き継ぐような形状で形成される。使い方は前記に準じるが、それより機能的により分離しており、それだけ使い勝手がよくなる。切り方を図６で示した。【０００７】    次に刺し込み片を３本有する形態を図７〜図９を用いて説明する。
先ず、特に右利き用となる場合を図７、図８を用いて説明する。
前記の正面側部形状を直線とする型とは異なり、対象物を載せ易くするために刺し部の根元辺りを凹ませた形状のもので、図８がその正面図である。図７の平面図のように主刺し込み片（１）と、長短の違いのある副刺し込み片（２ａ）、（２ｂ）の合計３本を長さの順に設ける。この３本の先端は把手（３）延長方向に対し斜めに位置する。この斜めの角度の範囲は対象物に３個所の先端が届いた時に当発明を持ち易い範囲、かつその上に物をすくって載せるためにさほどには不都合でない範囲とする。この３本からなる変形フオークの使い方は、主刺し込み片側を上側にして持ち、羊羹等の対象物にまず主刺し込み片のみを刺し込み、中央の副刺し込み片が対象物に届いたら共に刺し込む。続けて最端の短い副刺し込み片が対象物に届いたら３本で刺し込む、または主刺し込み片先端で傷をつけた状態でそこを支点として、２本の短い刺し込み片の先端側が対象物に接するまで傾けて、３本を同時に刺し込む。特に強く１本を刺し込みたい時には前述の場合よりは角度をずらして傾け、他の刺し込み片が当たらないようにして主刺し込み片を刺し込む。表裏を反対にすればこの効果はより顕著になる。安定する個所まで刺し込めたら、持ち上げて口に運ぶ。対象物を切り分けたい時には突き刺した後、手前に引く、又は上から下に降ろす。刺し込み片のそれぞれの先端が自然な手の動きに合わせて同じ個所を移動するので切断出来る。物を載せたい時は先端が対象物に同時に接する角度で持ち底から差し込み持ち上げる。不要な物が付着しているような場合は、主刺し込み片の先端で除く、狭いところならば先端でほじり出す。内側の刺し込み片と刺し込み部の中腹辺りは主として刺しこんだ対象物の支えを行っている。このように刺し込み片の数が増えることによって、横幅が生じ物が載せ易くなる等、２本の場合より機能的な面が増えている。物を載せる目的を持つ場合は刺し込み部の根元から把手までの間を長めにとる方がよい。左利き用としてはこれらの左右を反対にした形状とする。
図９については、ここに示すように、主刺し込み片の外側辺は把手側辺を直線上に延ばした形状となっており、副刺し込み片２本を補助的な位置に設けたものである。これは重さと共に視覚的にもバランスをもたせようとする形状のものである。また切り分けを行う場合に、最端位置の副刺し込み片は他に比べて比重がかかることを考え、当刺し込み片の根元の位置を他より短くし、幅を他よりやや広くしたものである。この使い方は前記に準じる。【０００８】    続けて、刺し込み片の４本を有する実施の形態を、図１０を用いて説明する。
前記までは長さに違いがあったが、ここでは同じ長さの刺し込み片の根元の位置をずらすことで、先端位置に違いを設けた場合とする。またこれらの刺し込み片の先端を繋ぐラインはナイフの刃先等に類似した形状を描くもので、直線というよりも少しカーブ状になる。更に最端側辺部もそのカーブを引き継ぐような形状で形成され、刺し部の全体で物を切り分け易い形状にした場合とする。
これは主刺し込み片（１）と、副刺し込み片（２ａ）、（２ｂ）、（２ｃ）の同じ長さの合計４本を、その先端を繋ぐラインが、手との接点を支点として、持ち手を動かした時、先端が移動しながら描くであろうカーブを辿るものとする。またそのカーブは最端側辺部から把手手前までなだらかに続く。主刺し込み片の先端の尖りはその頂点が中心部にあり、副刺し込み片２ａ、２ｂ、２ｃには頂点が主刺し込み片側にあり、更に端部に位置する副刺し込み片２ｃは他よりも幅広に設け、かつ当側辺部は対象物を切り分けるために好都合な厚みとする、つまり最端に位置する副刺し込み片の側辺部が一番薄く、主刺し込み片に向けて次第に厚みを増すような形状がよりよい。この４本からなる変形フオークの使い方は、前記３本の使い方に準じるが、対象物を切る時、最端の副刺し込み片の先端辺りから切り込み、刺し込み部全体を使って、切り分けることになる。【０００９】    図１１、図１２を使って、使い方の説明の補足を行う。
図１１は自然に手を口元へ回した時の、フォークの先端がどのような形状で届いているかを示した。図１２は、従来のものと本発明を比較したものである。従来の場合、先端が把手延長方向に対し直角となっており、これを利用した場合、ａのように、肘を支点として折り曲げると顔正面方向に対し斜めに先端が届く。これに対し本発明はｂに示したように、顔正面方向に対し、直角に近い状態で、口元に動かすことが可能となる。ａは従来のフォークの場合、ｂは変形フオークの場合の、顔（５）の向きとの交叉状態を示した。【０００１０】    尚、正面形状をカーブ状とするか否かについては、使用対象、材質、目的、好み等によって決定する。刺し込み片先端の尖りについては、食事用とする場合は、それほどの鋭利性を必要としないものであり、また安全性等を加味して通常のフォーク程度の形状とする。しかし当発明は食事用のフォーク類にとどまらず、片手で使用するフォーク状の器具全般を指すので、使用目的に合わせてその形状は選択出来る。物を載せることを目的に内側の刺し込み片の幅が広い場合もあり、またデザイン的に主刺し込み片を幅広にする時もあるが、刺し込むために不都合ではない範囲とする。その他、刺し込み片の全てが必ずしも、把手の位置と同高位にあるとは限らず、主刺し込み片から端部の刺し込み片へ上下するような形状も考えられる。この場合は低い側から、対象物をすくい取るような機能を有することになる。但し先端位置は同高位がよい。把手方向に対し斜めあるいはなだらかな曲線を呈することについての、把手方向とは、刺し込み片の長さが異なるために、必ずしも視覚的な意味とは限らず、機能的な軸の方向や重さ的にバランスのとれる方向の意味も含め、総じて把手的方向を示すの意であることを述べておく。
【図面の簡単な説明】
【０００１１】
【図１】  本発明の平面図である。
【図２】  本発明の正面図である。
【図３】  本発明の使用図である。
【図４】  本発明の平面図である。
【図５】  本発明の平面図である。
【図６】  本発明の使用図である。
【図７】  本発明の平面図である。
【図８】  本発明の正面図である。
【図９】  本発明の平面図である。
【図１０】  本発明の平面図である。
【図１１】  本発明の使用図である。
【図１２】  本発明の平面図である。
【符号の説明】
【０００１２】  １  主刺し込み片          ２  副刺し込み片            ３  把手
４  対象物                ５  顔
【図１】
2005246016.tif 000003
【図２】
2005246016.tif 000004
【図３】
2005246016.tif 000005
【図４】
2005246016.tif 000006
【図５】
2005246016.tif 000007
【図６】
2005246016.tif 000008
【図７】
2005246016.tif 000009
【図８】
2005246016.tif 000010
【図９】
2005246016.tif 000011
【図１０】
2005246016.tif 000012
【図１１】
2005246016.tif 000013
【図１２】
2005246016.tif 000014